(57)【要約】      （修正有）【課題】消火栓装置において、消火用ホースを着脱する際に、取り外しや固定の作業が不要な、簡便な機構のホースガイドを提供する。【解決手段】前方に倒れる方向に開放する扉体２の背面に、消火用ホース４を挿通させるコイル形状のホースガイド５を設け、そのホースガイドの一巻き毎の間隔をホースの直径よりも大きくした。したがって、消火用ホースの着脱が容易となり、作業後にホースガイド部材等の付け忘れが生じる危険が無く、ホース引き出し時にホースが外れる危険性がない。【選択図】図２
2011010824.tif 000002
【特許請求の範囲】
【請求項１】
筐体内部のホース収容部に消火用ホースを収納し、前記筐体の前面に設けた扉体を開いて、前記消火用ホースを引き出す消火栓装置において、
前方に倒れる方向に開放する前記扉体の背面に、前記消火用ホースを挿通させるコイル形状のホースガイドを設け、該ホースガイドは、一巻き毎の間隔が消火用ホースの直径よりも大きいことを特徴とする消火栓装置。
【請求項２】
前記ホースガイドの端部が、コイル形状の直径方向外側に向けて曲げられていることを特徴とする請求項１記載の消火栓装置。
【発明の詳細な説明】
【技術分野】
【０００１】
本発明は、トンネル等に設置され、消火活動に使用される消火栓装置に関する。
【背景技術】
【０００２】
従来のトンネル向けの消火栓装置においては、内巻式のホースがバラけ出ることを防止する目的などで、逆U字形状のホースガイドが用いられている。このホースガイドは前傾扉の背面側に立設されて、ホースガイドの内側をホースが通されている。そして、消火活動の際には、このホースガイドを通してホースを引き出すこととなる。
【０００３】
しかし、このホースガイドは、ホースを引き出すときにはガイドとなるが、ホースを収容する際には邪魔である。そのため、例えば、逆U字形状の一端を回転自在に装着するとともに、他端を扉側に対し着脱自在とするような取り外し機構（特許文献１参照）や、２本のホースフックを互いに向けて突出し前後に隔てた位置に配置して隙間を設ける構造（特許文献２参照）が用いられ、ホースガイドからホースが抜けるようにされている。
【先行技術文献】
【特許文献】
【０００４】
【特許文献１】特許第３８３２７２４号公報
【特許文献２】特開２００８−４８２号公報
【発明の概要】
【発明が解決しようとする課題】
【０００５】
従来のホースガイドの取り外し機構は、ホースの収納時に、ホースガイドの一端を外す作業が必要となり、同時に収容作業後にホースガイドを固定する作業も必要で、着脱作業における取り外し取り付けが面倒という不具合がある。また、着け忘れがあると、ホースガイドが機能しない場合も発生する。
【０００６】
また、ホースガイドを２本のホースフックとする構造も、U字形状の部材が２本必要となり前傾扉が重くなってしまうこと、スペースをとってしまい作業の邪魔になりやすく、フック形状は開放された一端が引っ掛かりやすいという不具合がある。
【０００７】
本発明は、上記のような課題を解決するためになされたものであり、消火栓装置において、ホースの着脱を行いやすく簡便な機構のホースガイドを得ることを目的とする。
【課題を解決するための手段】
【０００８】
筐体内部のホース収容部に消火用ホースを収納し、前記筐体の前面に設けた扉体を開いて、前記消火用ホースを引き出す消火栓装置において、前方に倒れる方向に開放する前記扉体の背面に、前記消火用ホースを挿通させる略コイル形状のホースガイドを設け、該ホースガイドは、一巻毎の間隔を消火用ホースの直径より大きくした。
【０００９】
また、前記ホースガイドの一端部をコイル形状の直径方向の外側に向けた。
【発明の効果】
【００１０】
前記コイル形状のホースガイドにより、コイル形状の巻きの間隔を通して自在に消火用ホースを着脱することができるので、ホースの着脱時に、ホースガイドの如何なる部分も外す作業が不要となり、ホースの着脱が容易となる上、また、ホース収容作業後にホースガイドを固定する作業も不要となり、作業後にホースガイド部材等の着け忘れが生じる危険が無い。
【００１１】
また、前記ホースガイドの端部をコイル形状の直径方向の外側に向けることにより、如何なる方向に消火用ホースが引き出されたとしても、ホースガイド端部に触れることがなく、消火用ホースが傷つけられることがない。
【図面の簡単な説明】
【００１２】
【図１】本発明の実施の形態１に係る消火栓装置全体の斜視図
【図２】本発明の実施の形態１に係る消火栓装置ホースガイドの斜視図
【発明を実施するための形態】
【００１３】
以下、本発明の実施の形態を、図面を用いて説明する。
【００１４】
実施の形態１．
図１は本発明に係る消火栓装置全体の形態を具体的にした斜視図である。消火栓装置の筐体１の内部のホース収容部には消火用ホース４を収納し、前記筐体１の前面には、前方に倒れる方向に開放する扉、すなわち前傾扉２が備えられ、この前傾扉２の背面側にホースガイド５が立設され、このホースガイド５の内側を通してホース収容部からホース４を引き出すこととなる。前記ホースガイド５の形状は、コイル形状とし、その端部をコイル形状の直径方向の外側へ向け、内部を貫通するホース４が引っ掛からないようにする。
【００１５】
図２は、図１のホースガイド５を詳細に示す図であり、コイル形状とした前記ホースガイド５の斜視図である。ホースガイド５は、棒状のホースガイド本体を仮想の略円筒形が内接するようコイル状に巻き、その直径は、ホースガイドとして機能する大きさであって、消火用ホース４の断面よりも十分に大きくすれば良く、また、一定である必要はない。なお、前記略円筒形は、その断面形状が略円形であっても、略楕円形であっても、角を丸めて鋭角部が存在しないようにした多角形であっても良い。さらに、ホースガイド５は粗巻きとする。すなわち、コイル形状に巻かれたホースガイド５の本体同士の間隔、あるいは、一巻き毎の互いの最短距離は、消火用ホース４の直径よりも大きくし、この間隔を通して消火用ホース４を自由に出し入れ可能とするものである。したがって、ホース４の着脱時に、ホースガイド５の如何なる部分も外す作業が不要となり、ホース４の着脱が容易となる上、また、ホース収容作業後にホースガイド５を固定する作業も不要となり、作業後にホースガイド５を構成する部材等の着け忘れが生じる危険が無い。また、消火用ホース４を該ホースガイド５を挿通した状態にすると、消火用ホース４が引き出される際に、消火用ホース４がホースガイド５から外れてしまう危険もない。
【００１６】
また、ホースガイド５の端部６をコイル形状の直径方向の外側に向けることにより、如何なる方向に消火用ホース４が引き出されたとしても、ホースガイド端部６に触れることがなく、消火用ホース４が傷つけられることがない。
【００１７】
以上のように、実施の形態に示される消火栓装置は、筐体１内部のホース収容部に消火用ホース４を収納し、前記筐体１の前面に設けた扉体としての前傾扉２を開いて、前記消火用ホース４を引き出す消火栓装置において、前方に倒れる方向に開放する前傾扉２の背面に、前記消火用ホース４を挿通させるコイル形状のホースガイド５を設け、該ホースガイド５の本体同士の間隔、すなわち、コイル一巻き毎の互いの最短距離は、消火用ホース４の直径よりも大きくし、この間隔を通して、消火用ホース４を自由に出し入れ可能な構造としたので、消火用ホース４の着脱時に、ホースガイド５の一端を外す作業が不要となり、また、ホース４収容作業後にホースガイド５を固定する作業も不要となり、ホース４の着脱が容易になる上、作業後にホースガイド５を構成する部材の着け忘れが生じる危険性がない。また、消火用ホース４を該ホースガイド５を挿通した状態にすると、消火用ホース４が引き出される際に開放される部分がなく、消火用ホース４がホースガイド５から脱落する危険がない。
【００１８】
さらに、ホースガイド５の端部６をコイル形状の直径方向の外側に向けることにより、如何なる方向に消火用ホース４が引き出されたとしても、ホースガイド端部６に触れることがなく、消火用ホース４が傷つけられることがない。
【符号の説明】
【００１９】
１  筐体、２  前傾扉、３  ノズル、４  消火用ホース、５  ホースガイド、６  ホースガイド端部
【図１】
2011010824.tif 000003
【図２】
2011010824.tif 000004